(57)【要約】【課題】表示板の光透過率を部分的に制御することによって、平均的に必要な光透過性を確保しながら、表示板の背後の部材を目立たなくする表示板の構成を提供すること。また高級感のある表示面を与え得ること。【解決手段】時計ムーブメントの視認側に設けた受光部材又は発光部材の更に視認側に光透過性基板を配置し、光透過性基板の視認側の表面に密接し、あるいは突出し又は離間して配置された不透光性の環状部材を有する時計用表示板であって、前記光透過性基板において、前記環状部材の外側に位置する外側領域の色に対し、前記環状部材の内側に位置する内側領域を同じ色で色濃度を薄くすることにより、前記外側領域の光透過率の平均値よりも、前記内側領域の光透過率の平均値の方を高くしたこと。【選択図】  図５
2014134419.tif 000002
【特許請求の範囲】
【請求項１】
時計ムーブメントの視認側に設けた受光部材又は発光部材の更に視認側に光透過性基板を配置し、
該光透過性基板の視認側の表面に密接し、あるいは突出し又は離間して配置された不透光性の環状部材を有する時計用表示板であって、
前記光透過性基板において、前記環状部材の外側に位置する外側領域の色に対し、前記環状部材の内側に位置する内側領域を同じ色で色濃度を薄くすることにより、前記外側領域の光透過率の平均値よりも、前記内側領域の光透過率の平均値の方を高くしたことを特徴とする時計用表示板。
【請求項２】
前記内側領域は、前記外側領域よりも面積が小さいことを特徴とする請求項１に記載の時計用表示板。
【請求項３】
前記内側領域において、その外縁寄り部分の色を、前記内側領域の他の部分の色よりも濃くすることにより、前記外縁寄りの一部の光透過率を、前記内側領域の他の部分の光透過率よりも低くしたことを特徴とする請求項１又は２に記載の時計用表示板。
【請求項４】
前記外縁寄りの部分と前記内側領域の他の部分との間に、該外縁寄りの部分から前記内側領域の他の部分に向かって光透過率が増すように色濃度に階調を設けたことを特徴とする請求項３に記載の時計用表示板。
【請求項５】
前記環状部材は前記光透過性基板の視認側の表面に突出又は離間して配置されており、
前記内側領域の外縁寄り部分は、前記光透過性基板の視認側の面を斜めに照射する光によって、前記環状部材の影が生じ得る部分であることを特徴とする請求項３又は４に記載の時計用表示板。
【請求項６】
前記光透過性基板の前記内側領域に、前記環状部材の内部で回転する小指針の回転軸を貫通させる指針軸穴を備えることを特徴とする請求項１から５のいずれか１項に記載の時計用表示板。
【請求項７】
前記環状部材は、複数の環状部が連結部を介して一体的に結合された構造を有し、
前記複数の環状部材は、それぞれが前記内側領域及び前記外縁寄り部分を備え、
それぞれの前記外縁寄り部分は、前記連結部から最も遠ざかる位置に配置したことを特徴とする請求項３〜５のいずれかに記載の時計用表示板。
【請求項８】
前記光透過性基板と前記連結部は、前記環状部材と回転軌跡が重なる指針の回転軸を貫通させる指針軸穴を有することを特徴とする請求項７に記載の時計用表示板。
【請求項９】
前記光透過性基板の周辺部には視認側に突出した時字部材を有し、
前記環状部材は複数の環状部材が連結部を介して一体的に結合された構造を有すると共に、
前記環状部材の外側は前記時字部材によって支持されていることを特徴とする請求項１から８のいずれかに記載の時計用表示板。
【請求項１０】
前記光透過性部材の色は黒であると共に、視認側及び背面側の表面は平滑であることを特徴とする請求項１から９のいずれかに記載の時計用表示板。
【発明の詳細な説明】
【技術分野】
【０００１】
本発明は、表示板の背後に受光素子又は発光素子を備えた指針式電子時計に用いられる光透過性を有する表示板に関する。
【背景技術】
【０００２】
まず指針式時計（腕時計や置・掛時計も含む）の文字板を光透過性とし、その背後にソーラーセルを配置し、文字板を透過してきた光で発電したエネルギーを二次電池に蓄電して指針を駆動する時計が実用化されている。このような時計においてはソーラーセルの発電量を確保するため、文字板の光透過率を所定値以上に設定しておく必要がある。
【０００３】
従来、文字板のほぼ全面など広範囲を光透過性としたものや、主要な時刻表示やデザインに関係する文字板の主な部分は不透明なまま残し、文字板の一部（例えば主要な時刻以外の機能表示を行う小針の軌跡範囲など）だけを光透過性の窓部としたものがある。後者の例を特許文献１に示す。
【先行技術文献】
【特許文献】
【０００４】
【特許文献１】特開２００７−９３２３８号公報
【発明の概要】
【発明が解決しようとする課題】
【０００５】
特許文献１の例の如く不透明な文字板の一部のみを光透過性とすると、ソーラーセルは文字板の背後のほぼ全面に配置することが折角可能であるのに、ソーラーセルの一部しか発電に利用しない（つまり受光面積が狭い）ため、受光部の透過率を高く設定する必要がある。このため受光部の背後のソーラーセルが目立ち易い難点があった。
【０００６】
また、文字板の広範囲を光透過性としたものは、文字板を部分的に光透過性としたものに比して受光面積を稼ぐことができるが、文字板の色やデザインによっては、背面のソーラーセル（特にその輪郭や分割線や表面の配線など）が透けて見えることがある。例えば、文字板を黒色にすると、高級感が得られるが、比較的透け易い場合がある。
【０００７】
文字板全面が一様な光透過率である場合（例えば２５〜３５％）、時計を使用する通常の外光環境では特に問題がなくても、強い外光を照射すると文字板の広い範囲にわたって透け、ソーラーセルの存在に気付かれることがある。このような場面は時計の商品展示場において起きることが多く、販売上の支障となる。このように、文字板の光透過率は時計の表示面のデザイン性や美観と密接に関係する。
【０００８】
本発明の目的は、表示板の光透過率を部分的に制御することによって、平均的に必要な光透過性を確保しながら、表示板の背後の部材を目立たなくする表示板の構成を提供することである。
【課題を解決するための手段】
【０００９】
上記目的を達成するため、本発明の時計用表示板は以下の特徴を備える。
【００１０】
時計ムーブメントの視認側に設けた受光部材又は発光部材の更に視認側に光透過性基板を配置し、該光透過性基板の視認側の表面に密接し、あるいは突出し又は離間して配置された不透光性の環状部材を有する時計用表示板であって、
前記光透過性基板において、前記環状部材の外側に位置する外側領域の色に対し、前記環状部材の内側に位置する内側領域を同じ色で色濃度を薄くすることにより、
前記外側領域の光透過率の平均値よりも、前記内側領域の光透過率の平均値の方を高くしたことを特徴とする。
【００１１】
このように構成することにより、全体の光透過率を確保しながら、光透過性基板の外側領域の背面に位置する受光部材又は発光部材を目立たなくすることができる。
【００１２】
前記内側領域は、前記外側領域よりも面積が小さいことを特徴とする。
【００１３】
このように構成することにより、面積が大きくて透けるのが目立ちやすい部分を透けにくくし、透けやすい部分の面積を小さくすることができるので、全体の光透過率を確保しながら、面積の小さな部分が透けたとしても気が付きにくくすることができる。
【００１４】
前記内側領域において、その外縁寄り部分の色を、前記内側領域の他の部分の色よりも濃くすることにより、前記外縁寄りの一部の光透過率を、前記内側領域の他の部分の光透過率よりも低くしたことを特徴とする。
【００１５】
このように構成することにより、光透過性基板の内側領域内においても、受光部材又は発光部材の存在を目立たなくし、また内側領域に自然な濃度差を与えることができる。
【００１６】
前記外縁寄りの部分と前記内側領域の他の部分との間に、該外縁寄りの部分から前記内側領域の他の部分に向かって光透過率が増すように色濃度に階調を設けたことを特徴とする。
【００１７】
このように構成することにより、外縁寄りの部分から内側領域の他の部分への色濃度の違いや変化に気が付きにくくなる。
【００１８】
前記環状部材は前記光透過性基板の視認側の表面に突出又は離間してされており、前記内側領域の外縁寄り部分は、前記光透過性部材の視認側の面を斜めに照射する光によって、前記環状部材の影が生じ得る部分であることを特徴とする。
【００１９】
このように構成することにより、表示板に自然な濃度差を与えて、色濃度の違いに気が付きにくくなると共に、環状部材の影ができ難い部分の光透過率を高く維持することができる。
【００２０】
前記光透過性基板の前記内側領域に、前記環状部材の内部で回転する小指針の回転軸を貫通させる指針軸穴を備えることを特徴とする。
【００２１】
前記環状部材は、複数の環状部が連結部を介して一体的に結合された構造を有し、
前記複数の環状部材は、それぞれが前記内側領域及び前記外縁寄り部分を備え、
それぞれの前記外縁寄り部分は、前記連結部から最も遠ざかる位置に配置したことを特徴とする。
【００２２】
このように構成することにより、複数の環状部の内側領域に対して最も自然で効果的な濃度差を与えることができる。
【００２３】
前記光透過性基板と前記連結部は、前記環状部材と回転軌跡が重なる指針の回転軸を貫通させる指針軸穴を有することを特徴とする。
【００２４】
このように構成することにより、指針が各内側領域の上を通過することとなり、指針に着目しやすくなることで色濃度が薄い内側領域を目立たなくすることができる。
【００２５】
前記光透過性基板の周辺部には視認側に突出した時字部材を有し、前記環状部材は複数の環状部材が連結部を介して一体的に結合された構造を有すると共に、前記環状部材の外側は前記時字部材によって支持されていることを特徴とする。
【００２６】
このように構成することにより、時字部材を利用して環状部材を光透過性基板から離間させて配置できるとともに、表示板の色濃度の変化を環状部材によって目立たなくする効果を増し、時計の表示部に高級感を与えることができる。
【００２７】
前記光透過性部材の色は黒であると共に、視認側及び背面側の表面は平滑であることを特徴とする。
【００２８】
このように構成することにより、時計の表示部に高級感を与えることができる。
【発明の効果】
【００２９】
本発明により、全体の光透過率を確保しながら、光透過性基板の外側領域の背面に位置する部材が透けて見えるのを目立たなくすることができる。
【図面の簡単な説明】
【００３０】
【図１】実施例１の時計の正面図である。
【図２】実施例１における、表示板関連部分の正面図である。
【図３】実施例１における、光透過性基板と環状部材の結合を示し、（ａ）は正面図、（ｂ）は断面図である。
【図４】実施例１において、視認を避けたい部材の存在位置を示す正面図である。
【図５】実施例１の光透過性基板における光の透過率を領域別に示す正面図である。
【図６】実施例２の光透過性基板の正面図である。
【発明を実施するための形態】
【００３１】
以下、実施例１と実施例２により、本発明の実施の形態を説明する。
【実施例１】
【００３２】
図１〜図５によって、本発明の実施例１を説明する。図１〜図４を用いて時計、及び表示板に関連する部材の構造について述べ、図５によって光透過性基板の各部の光透過率について説明する。
【００３３】
図１は実施例１の時計の正面図である。この時計は三針式の指針式時刻表示と共に、２個の小針を用いて日と曜を表示する。１はケース胴で、時計の内部機構を収納する。時計は背面に裏蓋を有するがそれは図示されていない。２はバンド用足であって、ケース胴１の背面に嵌め込まれる裏蓋と一体に形成されている。
【００３４】
３は風防ガラスで時計の前面を覆い、周縁部でケース胴１に固着されている。なお表示に関係する部材は全て透明である風防ガラス３の奥にあるが、見えるとおりに実線で記載
されている。４はガード部材で、風防ガラス３を左右から抱くように保護すると共に時計デザイン上のアクセントとしての役割を持ち、時計の裏面で裏蓋にネジ止めされている。１３はりゅうずである。なお風防ガラス３の外周部の裏面には、時刻表示用の目盛３１が印刷されている。
【００３５】
５は見返しリングで、風防ガラス３のすぐ奥に位置する。上面側（視認側）には時刻表示の指標である時字Ａ５１が一体的に設けられている。時字は１〜１２の各方向にある棒状の突起であるが、時字Ａ５１はその内１，２、４、５、６、７、８、１０、１１、１２時方向にある部材であり、合計１１本ある（１２時方向には平行に２本あるので）。
【００３６】
６は環状部材であり、２つの環状部６ａ、及びそれらを一体に連結している連結部６ｂより成るめがね状の部材である。通常時刻を表示するための秒針８、分針９、時針１０は、風防ガラス３の背面と環状部材６及び時字Ａ５１の上面（視認側）との間隙空間内で回転する。２つの環状部６ａはそれぞれの上面に日目盛６１、曜目盛６２を有し、またそれぞれの内部に沈めて配置された日針１１、曜針１２の回転によって日と曜を表示する。環状部材６の視認側の表面は、日目盛６１と曜目盛６２の部分を除き平滑である。
【００３７】
７は光透過性基板で、見返しリング５及び環状部材６の奥に位置し、その見返しリング５の内縁５ｂの内側でかつ環状部材６に前方を妨げられずに露出している面が、表示板の要部として使用者に視認されると共に、この面から外光を取り込む。光透過性基板７の奥には、本図では図示しないソーラーセルを設け、取り込んだ外光で発電を行う。
【００３８】
なお、本発明における表示板の定義について述べる。時計の一般的な使用者が表示板を構成する部材として認識するのは、最大の指針の回転範囲の直下及びその周辺近傍を占めて視認できる部材であろう。本実施例のような時計においては、光透過性基板、環状部材、見返しリング、時字などが該当するので、これら全部を表示板を構成する部材とすることもできるし、最も狭義には光透過性部材と環状部材のみを表示板と考えてもよい。
【００３９】
また本発明の技術的範囲を規定しようとする場合、これらの部材の全部に言及することなく、一部のみの特徴を述べればよいことは当然である。
【００４０】
図２は実施例１における、表示板に関連する部分のみを取り出して示す正面図であり、主要な部分の構造をより詳しく説明するものである。見返しリング５は、厚さ（背面からの高さ）が最大である頂上部５ａ、その上面（視認側の面）からその内側を光透過性基板７の上面（視認側の面）に向けて垂下する斜面状（円錐状）の面である斜面部５ｃ、その内縁５ｂを有する。
【００４１】
時字Ａ５１の各々は斜面部５ｃから上面（視認側）に突出するように成形されている。それら時字Ａ５１の上面は平面である。時字Ａ５１を含む見返しリング５は黒色セラミックスを成形した部材である。また頂上部５ａ、斜面部５ｃ、及び時字Ａ５１の上部の面は平滑（光沢面）に仕上げられ、高級感を演出している。
【００４２】
見返しリング５の内縁５ｂの左右（３時側及び９時側）には、円弧状切欠部５ｄ及び矩形状切欠部５ｅを備える。円弧状切欠部５ｄは、環状部材６の２つの環状部６ａの両外側（３時側及び９時側）の一部を収容している。矩形状切欠部５ｅは、光透過性基板７の上面に植設した時字Ｂ７２の突出を許すためのものである。時字Ｂ７２は３時方向と９時方向の時字であり、時字Ａ５１と比較すると、半径方向の見える部分の長さは短いが、上面の高さは等しい。
【００４３】
図３は実施例１における光透過性基板と環状部材の結合を示す図であり、（ａ）は正面
図、（ｂ）は断面図である。図２の構成から見返しリング５を取除いて示した。両図より、光透過性基板７の周縁部は金属リング７１によって補強されていること、その上面には時字Ｂ７２が固着されていること（接着による）、時字Ｂ７２に設けられた段差部７２ａに環状部材６の３時、９時側の各端部を乗せて位置決めしていることがわかる。また、環状部材６の下面は光透過性基板７の上面から時字Ｂ７２の下部によって離間されている。
【００４４】
光透過性基板７には、時刻表示用の指針の中心軸と、日針１１、曜針１２の各軸を通すための３個の指針軸穴７ｅを有する。その内、中心にある指針軸穴７ｅは、環状部材６の連結部に設けた指針軸穴６ｃと重なる。各指針軸穴７ｅには、指針軸を側面から見えなくするため、中心軸隠しパイプ７３と、２個の小針軸隠しパイプ７４が植設されている。これらのパイプ部材は黒色プラスチック製である。また、図示しない中枠に挿入されて光透過性基板７を位置決めするための干支足７５が金属リング７１の下面に溶接されている。
【００４５】
図４は実施例１において、視認されることを避けたい部材の存在位置を示す正面図である。それらの部材は光透過性基板７の背後にあるもので、図２において光透過性基板７が仮に透明であるか、極めて強い外光で照射された場合、その奥にあって視認できる部材が例えば何であるかを示している。
【００４６】
それらは、時計ムーブメントの上部に配置される受光部材１４（この実施例ではソーラーセル）、及び時計ムーブメントをケース胴１内で位置決め保持する中枠１５である。受光部材１４はその表面が濃い紫色である。中枠１５は、その全体形状の説明を省略するが、図４において中枠１５が視認されるのは、受光部材１４と時字Ａ５１や時字Ｂ７２との間に位置する環状部分である。また、中枠１５は、受光部材１４と同様に濃い紫色に着色されている。受光部材１４は分割線１４ａを備えるので目立ち易く、中枠は樹脂製であるので色は自由に選べ、濃い紫色に着色されているが、表面に凹凸があると部分的に光の反射率が変わるのでやはり目立ち易い。
【００４７】
図５は実施例１の光透過性基板における光の透過率を領域別に示す正面図である。光透過性基板７は透明なサファイアガラスなどの材質からなる円板で、その一面にはＣｒなど黒色の材料を用いて半透明の蒸着膜が施されている。表面は更に環状部材６の配置に関連した複数の領域に区分される。
【００４８】
光透過性基板７は、視認側及び背面側の面が平滑であり、背面側に蒸着や後述する印刷によって黒色に着色されていることと相まって、高級感を与えることができる。但し、視認側及び背面側の面が平滑であること、及び、黒色であることは、透けやすさの面では不利である。この点に関して、以下に説明するように、光透過性基板７が、色濃度が一様な黒色であるかのように視認され、透けるのが目立たなくなるように工夫をしている。
【００４９】
外側領域７ａは、組み立てられた表示板において、環状部材６のめがね状のほぼ外側を占める。この領域は面積が大きく、背後にある部材の面も大きいので、それらが強い外光でも視認され難いように光透過率は小さく設定される。例えば２０％以下とするのが好ましい。光透過率を低下させるために、全面に施した前記蒸着膜に重ねて、ある程度の透光性を有する黒色印刷を施す。
【００５０】
中心軸隠しパイプ７３の左右（３時と９時の方向）にある円形の部分は、環状部材６のめがね状の環状部６ａのほぼ内側に位置して視認される内側領域７ｕであって、この領域のそれぞれの部分は左右対称的に、外縁寄り領域７ｂ、階調付与領域７ｃ、最内側領域７ｄを有する。
【００５１】
環状部材６は厚みを有し、また光透過性基板７から浮かして配置してあるため、時計の
使用者の左右いずれかの後方から時計の表示面（表示板面）に斜めに入射することが多い外光によって、その影が光透過性基板７の上に出来やすい。目立つ影が生じる主要な位置は、めがね状に配置された各環状部６ａ（例えば図３）の内部で、３時側と９時側に寄った場所である。この影が生じ易い場所を図５に示す、三日月形をした外縁寄り領域７ｂと想定している。
【００５２】
外縁寄り領域７ｂの光透過率は、表示板面の外側に近くて背面に受光部材１４や中枠１５が配置される場所であるから、前述の外側領域７ａと同様、蒸着膜に印刷層（黒色のベタ印刷、又は密な網目状に配置し隙間を減らしたドット印刷）を重ねて、透過率を低くして透けにくくする。この部分の光透過率は外側領域７ａよりもやや抑えて５〜２５％の範囲から、例えば１０％程度とするとよい。外縁寄り領域７ｂは、色濃度を濃くしても、その部分は、環状部６ａの影によって色濃度が濃くなっていると認識しやすく、違和感を感じにくい。
【００５３】
両環状部６ａの内部で視認される最も内側（時計の中心側）に設けた最内側領域７ｄは、時計面の中心からほぼ一定の距離以内にある光透過性基板７の領域であって、表示板面で最も光透過率が高く設定され、ソーラーセルの発電量を稼ぐことができる領域である。そのため、この部分には蒸着膜のみを残すこととし、印刷層を付加しない。この部分の光透過率は、蒸着膜のみの光透過率５０〜６０％に等しい。
【００５４】
図５に示すように、外縁寄り領域７ｂと最内側領域７ｄに挟まれた部分円弧状をなす帯状の領域である階調付与領域７ｃを設ける。この部分には、蒸着層に重ねて、細かい網目上に配置された多数の黒色のドットを印刷する。ドットの配置の密度又は個々のドットの大きさは、外縁寄り領域７ｂに近いほど大きく、最内側領域７ｄに近いほど小さくする。階調付与領域７ｃの平均透過率は、外縁寄り領域７ｂの透過率と最内側領域７ｄの透過率の間の値である。
【００５５】
こうすることにより、外光により自然に生じる影に合わせた色濃度を持つ外縁寄り領域７ｂと、光透過率の高い最内側領域７ｄの色調の間に自然なグラデーションが生じ、各領域の色濃度の違いやその境界を目立たせず、最内側領域７ｄの色濃度を薄めて発電能力を高く設定することができる。環状部６ａ内部全体について平均した光透過率を例えば約４０％とすることができる。最内側領域７ｄにおいては厳密に言えば多少ソーラーセルの固有色が見えるが、それが目立つことはない。
【００５６】
最内側領域７ｄと既述の外側領域７ａとの間にはかなりの色濃度の差が生じているが、この差は、立体的に配置されて大きな存在感を示す環状部材６が両者の境界に存在するために、時計の使用者にはほとんど認識されることがない。
【００５７】
仮に、環状部材６がなければ、最内側領域７ｄと外側領域７ａとが互いに接することとなり、この接した部分の色濃度の違いを比較されるため、色濃度の違いに気が付きやすいが、環状部材６が位置する部分は環状部材６によって最内側領域７ｄと外側領域７ａとの境界線が視認されず、これらの領域が環状部材６を挟んで離間した位置で視認されることにより、目の錯覚を生じやすく、色濃度の違いは識別され難い。
【００５８】
また、環状部材６によって囲まれる内側領域７ｕの面積が外側領域７ａの面積よりも小さいこと、内側領域７ｕが曜針１２や日針１１の奥に位置して内側領域７ｕよりも曜針１２や日針１１に着目しやすいこと、環状部材６に日目盛６１や曜目盛６２等の意味のある情報が設けられてこれらの情報に着目しやすいこと、内側領域７ｕの上を秒針８、分針９、時針１０が通過してこれらの指針にも着目しやすいこと、さらに、内側領域７ｕの視認側や周囲に環状部材６及び曜針１２や日針１１及び秒針８や分針９や時針１０が集中配置
されていることにより、内側領域７ｕ内の平均透過率が外側領域７ａの平均透過率より高いことや、内側領域７ｕに色濃度の違いや色濃度の階調が付与されていることに気が付きにくい。
【００５９】
特に、外側領域７ａは表示板に占める面積が広いため、仮に、強い外光によって透けると背面が視認される確率が高くなるが、内側領域７ｕは表示板に占める面積が小さいため、その部分の平均透過率を高く設定して外側領域よりも透けやすくしても、透けていることに気が付く確率が低くなり、色濃度の違いに違和感を感じにくい。さらに、受光部材１４はその表面が濃い紫色のソーラーセルであり、中枠１５も同様な色に着色されているため、黒色の光透過性基板７と同系色の部材がその背面に配置され、仮に、強い外光によって光透過性基板７が透けたとしても背面の部材が目立たない。
【００６０】
従って、腕時計を見たときに、光透過性基板７における外側領域７ａと内側領域７ｕが、色濃度が一様な黒色であるかのように視認されることとなり、さらに、強い外光が照射されても透けが目立たなくなる。
【００６１】
尚、内側領域７ｕにおける色濃度の最も濃い領域、色濃度の最も薄い領域、色濃度の階調を付与する領域は、環状部材６の形状や、環状部６ａの背面側に配置される部材に応じて設定することができる。例えば、環状部６ａ内の１２時側に影ができやすかったり、１２側の領域の背面側に透けたときに視認されやすい部材がある場合には、１２側の色濃度を濃くして６時側の色濃度を薄くし、１２時〜６時に向かう方向に階調を付与することができる。
【００６２】
以上に述べたように、実施例１の時計の表示板は、外側領域において内部の部材が視認されることを避けつつ内側領域を含めて必要な平均光透過率を有し（ソーラーセル全面について平均した光透過率は、例えば約１９％が確保されることが必要である）、時計の運針を行うのに十分な発電能力が得られるものである。しかも、光透過性基板７は、環状部材６の内外と外側とで色濃度が一様であるかのように視認され、時計の使用者に違和感を与えることがない。
【００６３】
なお、光透過性基板７の各領域の色濃度の調整と透過率の管理をすべて蒸着で行うことができれば美しさの点では好ましいが、蒸着のみによる透過率の管理はかなり困難であるし、濃度変化を与えるために部分マスクを用いて繰り返し蒸着を行うことはコスト高になる。本実施例のように蒸着と印刷を組み合わせて各部の色と透過率を管理するのが最も現実的にすぐれている。
【００６４】
＜実施例１の変形例＞
以下に実施例１の変形例について、そのいくつかを挙げる。
【００６５】
（１）環状部材６の環状部６ａの数は２個としたが、それには限定されない。例えば３個としてそれらの中心が、時計中心の指針軸の周囲に描いた三角形の頂点の位置に対応するように配置してもよく、また４個として、各環状部６ａの中心が、時計中心の指針軸の回りに描いた四角形の頂点の位置に対応するように配置してもよい。また、例えば、１個として、任意の位置に配置しても良い。
【００６６】
（２）実施例１では外側領域７ａを全面にわたって同じ濃度の低い光透過率としたが、外側領域においても部分的に光透過率を変化させてもよい。例えば、めがね状の環状部６ａの外側で時計中心の指針軸に近い部分を図５の最内側領域７ｄのように高い光透過率とする。更にその周囲に階調付与領域を設けるとよい。こうして、全体の平均的光透過率を更に上げるか、あるいは表示板の中心部の光透過率を上げ、代りに周辺部の濃度（内部の
見え難さ）を稼ぐようにしてもよい。
【００６７】
また、内側領域７ｕ内に色濃度の異なる領域や階調を付与したが、内側領域７ｕ内の全てを同一の光透過率で、且つ、外側領域７ａの光透過率よりも高い光透過率に設定してもよい。この場合は、内側領域７ｕ内のそれぞれの部分の光透過率が、内側領域７ｕの光透過率の平均値と等しくなる。
【００６８】
（３）階調付与領域におけるグラデーションの与え方として、所定の光透過率を持つ印刷層を部分的に重ねる多層印刷を適用してもよい（高濃度部分ほど印刷層の数が多い）。但し、層の境界を目立たせない工夫を必要とする。
【００６９】
（４）同じくグラデーションの与え方として、黒色透明で厚さが連続的に変化するプラスチックの膜を階調付与領域に貼るようにしてもよい。
【００７０】
（５）実施例１では表示板を構成する種々の部材の色を全て黒としたが、他の色でも適用が可能である。
【００７１】
（６）環状部材が立体物でかつ光透過性部材と離間している方が、外側領域７ａと内側領域７ｕとが同色であるかのように視認されやすく、内側領域７ｕにおける色濃度の違いや内側領域７ｕ（特に最内側領域７ｄ）が透けたことに気が付きにくいため望ましいが、必ずしもそれにこだわらなくてもよい。例えば、光透過性基板の表面に環状部材を貼り付けてもよいし、環状部材を盛り上げ印刷のような方法で形成してもよいし、光透過性基板の表面に不透明の環状印刷をすることにより環状部材を形成しても、同様の効果が得られる。
【００７２】
（７）蒸着膜に変えて、所定の光透過性を持つ印刷層を適用することもできる。
【００７３】
（８）受光部材１４を見返しリング５の位置まで拡大すると共に、見返しリング５自体に僅かながら光透過性を与え、見返しリング５を透過して来た光を発電に寄与させることもできる。光透過性を高くはできないが、見返しリング部の大きな面積を利用して発電量を増すことができる。
【００７４】
（９）環状部材６を、光透過性基板７の視認側に離間して配置した板状ガラス部材の表裏いずれかの表面に設けた２つの環状の不透明印刷で構成しても良い。
【実施例２】
【００７５】
実施例２は、小針などを持たず、時、分、秒針のみを有する、基本デザインに近い三針式時計に本発明を適用した例である。表示関連部品（指針や表示板）の構成が比較的に単純であるから、時計の全体を示さず、光透過性基板を主体に説明する。
【００７６】
図６は実施例２の時計における光透過性基板を示す正面図である。
【００７７】
光透過性基板７は、指針軸穴７ｅを中心のみに有する。また同心的に、環状部材６と、境界部材７６を備える。これらの部材は、光透過性基板７の上面に貼着されるか、印刷されるか、あるいは盛り上げ印刷のような手法で形成される。もちろん光透過性基板７の表面から浮かせて配置してもよいし、各部材について異なった方法で形成してもよい。
【００７８】
環状部材６と境界部材７６に区切られて、光透過性基板７の表面は、外側から順に、最外側領域７ｆ、外側領域７ａ、内側領域７ｕに分けられる。外側領域７ａの背後には、視認されたくない部材として、ソーラーセルである受光部材１４の輪郭位置が、２点鎖線で
示してある（分割線などは図示を省略した）。また１６は時計ムーブメントで、受光部材１４の更に奥にあり、その輪郭を２点鎖線で示してある。また中枠も図示を省略した。
【００７９】
最外側領域７ｆは、その背後に光を受光又は発光する部材はないので光透過性を持つ必要はなく、不透明な領域としても良い。この領域には任意の印刷や表示部材を配してもよい。例えばこの領域に見返しリングや時字などを置いてもよい。
【００８０】
境界部材７６は、その外側に光透過性の領域がないので、最外側領域７ｆと一体化することもできるので、その一部とみなして省略することも可能である。また最外側領域７ｆの上部に見返しリングなどの部材を配置する場合は、その部材と兼用させて、やはり省略することができる。
【００８１】
外側領域７ａの奥には受光部材１４の外側部分があるので、その視認を避け、しかもある程度の発電を行わせるため、この領域の光透過率を、実施例１における外側領域７ａのように低く抑える。
【００８２】
内側領域７ｕにおいては光透過率を実施例１の最内側領域７ｕと同様に高く設定し、発電効率を高め、必要な発電量を稼ぐ。この領域の色濃度は外側領域よりも薄くなるが、境界に環状部材６が存在し、外側領域７ａに対して環状部材６を挟んで離間した位置で視認されるため、外側領域７ａに対する色濃度の違いは認識され難い。また必要に応じて、環状部材６に接して、図示しない階調付与領域を設け、更に色濃度の変化を目立たなくすることもできる。
【００８３】
実施例２においても、受光部材等は容易に視認されず、必要な発電能力が得られ、表示板の濃度変化が環状部材によって目立たなくされた表示板が構成できる。
【００８４】
＜実施例２の変形例＞
種々の変形例があり得るが、実施例１の特徴の一部を備えてもよい。また、実施例１の変形例のうち実施可能なものは実施例２の変形例にも加えられる。
【００８５】
＜実施例の更なる変形例＞
受光部材をソーラーセルであるとして説明したが、例えば表示板の奥に配置されたＥＬ発光部材のような照明用の部材であってもよい。その場合でも、夜間に時刻表示を行うには表示板が光透過性である必要があり、昼間の外光によって発光部材が容易に視認されてはならないので、本発明が適用される。
【符号の説明】
【００８６】
１  ケース胴
２  バンド用足
３  風防ガラス
４  ガード部材
５  見返しリング
５ａ  頂上部
５ｂ  内縁
５ｃ  斜面部
５ｄ  円弧状切欠部
５ｅ  矩形状切欠部
５１  時字Ａ
６  環状部材
６ａ  環状部
６ｂ  連結部
６ｃ  指針軸穴
６１  日目盛
６２  曜目盛
７  光透過性基板
７ａ  外側領域
７ｂ  外縁寄り領域
７ｃ  階調付与領域
７ｄ  最内側領域
７ｅ  指針軸穴
７ｆ  最外側領域
７ｕ  内側領域
７１  金属リング
７２  時字Ｂ
７２ａ  段差部
７３  中心軸隠しパイプ
７４  小針軸隠しパイプ
７５  干支足
７６  境界部材
８  秒針
９  分針
１０  時針
１１  日針
１２  曜針
１３  りゅうず
１４  受光部材
１４ａ  分割線
１５  中枠
１６  時計ムーブメント
【図１】
2014134419.tif 000003
【図２】
2014134419.tif 000004
【図３】
2014134419.tif 000005
【図４】
2014134419.tif 000006
【図５】
2014134419.tif 000007
【図６】
2014134419.tif 000008